(57)【要約】【課  題】表示内容を変更することができるとともに、表示内容が変化しない際のランニングコストを極力低くすることができる表示装置および表示システムを提供する。【解決手段】表示装置（１１，４１，５１，６１，９１）は、表示用位置目印（１８）および表示データ（２４）をロール紙（２３）に印字するプリンター（１２）と、このプリンターで印字された紙を表示領域（２２）を通過させて巻き取る巻取機（１７）と、前記表示用位置目印を検出する目印検知手段（１９）と、この目印検知手段が表示用位置目印を検出した際に、前記巻取機を停止させて、プリンターで印字された印字部を前記表示領域に位置させる表示位置制御手段とを備えている。【選択図】  図１
2004184658.tif 000002
【特許請求の範囲】
【請求項１】
表示用位置目印および表示データをロール紙に印字するプリンターと、
このプリンターで印字された紙を表示領域を通過させて巻き取る巻取機と、
前記表示用位置目印を検出する目印検知手段と、
この目印検知手段が表示用位置目印を検出した際に、前記巻取機を停止させて、プリンターで印字された印字部を前記表示領域に位置させる表示位置制御手段とを備えていることを特徴とする表示装置。
【請求項２】
プリンターで表示データが印字されたロール紙を、バッファー領域および表示領域を順次通過させて巻取機で巻き取って、表示データの印字部を前記表示領域に位置させる表示装置であって、
前記バッファー領域の紙面に送風するファンと、
このファンと紙面との距離を検知する弛み量検知手段と、
プリンター稼働中に、前記弛み量検知手段の検出値が上限設定値になると、巻取機を稼働し、かつ、弛み量検知手段の検出値が下限設定値になると、巻取機を停止させる弛み量制御手段とを備えていることを特徴とする表示装置。
【請求項３】
表示用位置目印および表示データをロール紙に印字するプリンターと、
このプリンターで印字された紙をバッファー領域および表示領域を順次通過させて巻き取る巻取機と、
前記バッファー領域の紙面に送風するファンと、
このファンと紙面との距離を検知する弛み量検知手段と、
前記表示用位置目印を検出する目印検知手段と、
プリンター稼働中に、前記弛み量検知手段の検出値が上限設定値になると、巻取機を稼働し、かつ、弛み量検知手段の検出値が下限設定値になると、巻取機を停止させる弛み量制御手段と、
前記目印検知手段が表示用位置目印を検出した際に、前記巻取機を停止させて、プリンターで印字された印字部を前記表示領域に位置させる表示位置制御手段とを備えていることを特徴とする表示装置。
【請求項４】
前記弛み量検知手段の検出値が増大すると、前記ファンの送風量を増大させ、かつ、前記弛み量検知手段の検出値が減少すると、前記ファンの送風量を減少させる送風量制御手段を備えていることを特徴とする請求項２または３記載の表示装置。
【請求項５】
プリンターで複数の表示データが順次印字されたロール紙を、ストック領域および表示領域を順次通過させて巻取機で巻き取って、表示データの印字部を前記表示領域に位置させる表示装置であって、
前記プリンターが停止している状態で、前記巻取機を正転させてストック領域の紙の量を減少させて後続の表示データの印字部を表示領域に位置させ、その後、巻取機を逆転させてストック領域の紙の量を増大させて、先行の表示データの印字部を表示領域に位置させる印字部表示切換手段を備えていることを特徴とする表示装置。
【請求項６】
前記ストック領域には、スライド式ローラーがスライド可能に設けられており、
このスライド式ローラーに、ストック領域の紙が掛け渡され、巻取機が正逆転すると、スライド式ローラーがスライドし、ストック領域の紙の量が減少増大することを特徴とする請求項５記載の表示装置。
【請求項７】
広告コピーデータを記憶する広告コピー記憶領域と、
映像を取り込んでイメージデータを出力するカメラ装置と通信回線を介して接続され、カメラ装置からのイメージデータと広告コピー記憶領域の広告コピーデータとを合成して表示データを生成する表示データ生成手段と、
この表示データ生成手段の表示データを記憶する表示データ記憶領域と、
この表示データ記憶領域からの表示データが入力されて、表示データをロール紙に印字するプリンターと、
このプリンターで印字された紙を表示領域を通過させて巻き取る巻取機と、
ロール紙の表示用位置目印を検出する目印検知手段と、
この目印検知手段がロール紙の表示用位置目印を検出した際に、前記巻取機を停止させて、プリンターで印字された印字部を前記表示領域に位置させる表示位置制御手段とを備えていることを特徴とする表示システム。
【請求項８】
前記プリンターが表示データとともに、表示用位置目印を印字することを特徴とする請求項７記載の表示システム。
【請求項９】
前記カメラ装置、ホストコンピュータ、および、表示装置用コンピュータが通信回線で接続される表示システムであって、
前記ホストコンピュータが、前記広告コピー記憶領域、表示データ生成手段および表示データ記憶領域を具備しており、
カメラ装置からのイメージデータが通信回線を介してホストコンピュータに入力され、
ホストコンピュータからの表示データが、表示装置用コンピュータに接続されるプリンターに入力されることを特徴とする請求項７または８記載の表示システム。
【請求項１０】
前記カメラ装置、ホストコンピュータ、および、表示装置用コンピュータが通信回線で接続される表示システムであって、
前記ホストコンピュータが前記広告コピー記憶領域を、また、前記表示装置用コンピュータが表示データ生成手段および表示データ記憶領域を具備しており、
カメラ装置からのイメージデータが通信回線を介して表示装置用コンピュータの表示データ生成手段に入力され、
かつ、前記ホストコンピュータの広告コピー記憶領域からの広告コピーデータが通信回線を介して表示装置用コンピュータの表示データ生成手段に入力されることを特徴とする請求項７または８記載の表示システム。
【発明の詳細な説明】
【０００１】
【発明の属する技術分野】
本発明は、観光広告などの広告や証券会社などの株価表示などを表示する表示装置および表示システムに関する。
【０００２】
【従来の技術】
従来の表示装置および表示システムは、印刷された広告紙やペイントされた看板などで構成され、その表示内容が変化しない（たとえば、特許文献１参照）。また、電光掲示板などのように、時々刻々、表示内容の変化する表示装置および表示システムがある。
【０００３】
【特許文献１】
特開平０６−２５０５９４号公報
【０００４】
【発明が解決しようとする課題】
表示内容が殆ど変化しないと、内容が陳腐化して、人の目を引くことがなくなり、広告効果が減退する。
一方、電光掲示板などでは、表示内容を常時変化させることができるが、表示中電気を供給する必要があり、ランニングコストが上昇する。特に、表示内容が比較的長時間変化しない（たとえば、午前および午後に各１回変更や、一週間に１回変化など）場合には、表示内容を変更するのに要するコストよりも、同一の内容を表示するためのランニングコストが大きくなる。また、表示の画質などの品質が比較的低いものが多い。
そこで、プリンターで紙に印字して表示させることを検討したが、なかなか旨く表示装置の表示領域に表示させることができなかった。また、表示内容の変更作業も容易ではなかった。
【０００５】
本発明は、以上のような課題を解決するためのもので、表示内容を変更することができるとともに、表示内容が変化しない際のランニングコストを極力低くすることができる表示装置および表示システムを提供することを目的としている。特に、プリンターを利用して、表示装置の表示領域に極力簡単最適に表示させたり、また、表示内容の変更を容易に行ったりすることができる表示装置および表示システムを提供することを目的としている。
【０００６】
【課題を解決するための手段】
本出願の表示装置（１１，４１，５１，６１，９１）は、表示用位置目印（１８）および表示データ（２４）をロール紙（２３）に印字するプリンター（１２）と、このプリンターで印字された紙を表示領域（２２）を通過させて巻き取る巻取機（１７）と、前記表示用位置目印を検出する目印検知手段（１９）と、この目印検知手段が表示用位置目印を検出した際に、前記巻取機を停止させて、プリンターで印字された印字部を前記表示領域に位置させる表示位置制御手段とを備えている。
【０００７】
また、プリンターで表示データが印字されたロール紙を、バッファー領域（３１）および表示領域を順次通過させて巻取機で巻き取って、表示データの印字部を前記表示領域に位置させる表示装置であって、前記バッファー領域の紙面に送風するファン（１３）と、このファンと紙面との距離を検知する弛み量検知手段（１４）と、プリンター稼働中に、前記弛み量検知手段の検出値が上限設定値になると、巻取機を稼働し、かつ、弛み量検知手段の検出値が下限設定値になると、巻取機を停止させる弛み量制御手段とを備えている。
【０００８】
そして、表示用位置目印および表示データをロール紙に印字するプリンターと、このプリンターで印字された紙をバッファー領域および表示領域を順次通過させて巻き取る巻取機と、前記バッファー領域の紙面に送風するファンと、このファンと紙面との距離を検知する弛み量検知手段と、前記表示用位置目印を検出する目印検知手段と、プリンター稼働中に、前記弛み量検知手段の検出値が上限設定値になると、巻取機を稼働し、かつ、弛み量検知手段の検出値が下限設定値になると、巻取機を停止させる弛み量制御手段と、前記目印検知手段が表示用位置目印を検出した際に、前記巻取機を停止させて、プリンターで印字された印字部を前記表示領域に位置させる表示位置制御手段とを備えている。
【０００９】
さらに、前記弛み量検知手段の検出値が増大すると、前記ファンの送風量を増大させ、かつ、前記弛み量検知手段の検出値が減少すると、前記ファンの送風量を減少させる送風量制御手段を備えている。
【００１０】
また、プリンターで複数の表示データが順次印字されたロール紙を、ストック領域（８１）および表示領域を順次通過させて巻取機で巻き取って、表示データの印字部を前記表示領域に位置させる表示装置であって、前記プリンターが停止している状態で、前記巻取機を正転させてストック領域の紙の量を減少させて後続の表示データの印字部を表示領域に位置させ、その後、巻取機を逆転させてストック領域の紙の量を増大させて、先行の表示データの印字部を表示領域に位置させる印字部表示切換手段を備えている。
【００１１】
そして、前記ストック領域には、スライド式ローラー（６９）がスライド可能に設けられており、このスライド式ローラーに、ストック領域の紙が掛け渡され、巻取機が正逆転すると、スライド式ローラーがスライドし、ストック領域の紙の量が減少増大する。
【００１２】
表示システムは、広告コピーデータを記憶する広告コピー記憶領域と、映像を取り込んでイメージデータを出力するカメラ装置（１）と通信回線（２，６）を介して接続され、カメラ装置からのイメージデータと広告コピー記憶領域の広告コピーデータとを合成して表示データを生成する表示データ生成手段と、この表示データ生成手段の表示データを記憶する表示データ記憶領域と、この表示データ記憶領域からの表示データが入力されて、表示データをロール紙に印字するプリンターと、このプリンターで印字された紙を表示領域を通過させて巻き取る巻取機と、ロール紙の表示用位置目印を検出する目印検知手段と、この目印検知手段がロール紙の表示用位置目印を検出した際に、前記巻取機を停止させて、プリンターで印字された印字部を前記表示領域に位置させる表示位置制御手段とを備えている。
【００１３】
また、前記プリンターが表示データとともに、表示用位置目印を印字する。
【００１４】
そして、前記カメラ装置、ホストコンピュータ（４）、および、表示装置用コンピュータ（７）が通信回線で接続される表示システムであって、前記ホストコンピュータが、前記広告コピー記憶領域、表示データ生成手段および表示データ記憶領域を具備しており、カメラ装置からのイメージデータが通信回線を介してホストコンピュータに入力され、ホストコンピュータからの表示データが、表示装置用コンピュータに接続されるプリンターに入力される。
【００１５】
また、前記カメラ装置、ホストコンピュータ、および、表示装置用コンピュータが通信回線で接続される表示システムであって、前記ホストコンピュータが前記広告コピー記憶領域を、また、前記表示装置用コンピュータが表示データ生成手段および表示データ記憶領域を具備しており、カメラ装置からのイメージデータが通信回線を介して表示装置用コンピュータの表示データ生成手段に入力され、かつ、前記ホストコンピュータの広告コピー記憶領域からの広告コピーデータが通信回線を介して表示装置用コンピュータの表示データ生成手段に入力される。
【００１６】
【発明の実施の形態】
次に、本発明における表示装置および表示システムの実施の第１の形態を図１ないし図４を用いて説明する。図１は本発明にかかる表示システムの表示装置の説明図で、（ａ）が外観の斜視図、（ｂ）が内部機構の斜視図である。図２は印字のされたロール紙の要部拡大図である。図３は表示システム全体の概略図である。図４は実施の第１の形態の広告表示のフローチャートである。
【００１７】
デジタルカメラなどを具備するカメラ装置１は、景色などの外観の映像を取込み、イメージデータとして出力する機能を具備している。このカメラ装置１は、インターネットなどの通信ネットワーク２に電話回線などの通信回線を介して接続可能であり、通信ネットワーク２にイメージデータを出力する。この通信ネットワーク２には、通信回線を介して広告会社のホストコンピュータ４などが接続される。また、ホストコンピュータ４は、別の表示用通信ネットワーク６で複数の表示装置用コンピュータ７に接続される。この表示装置用コンピュータ７はマイコンやパソコンなどで構成され、表示装置用コンピュータ７に、表示装置１１の各種駆動部や各種センサ、たとえば、プリンター１２、ファン１３、弛み（たるみ）量検知手段としての距離センサ１４、駆動ローラー１６を回転駆動するローラー駆動モータ（図示せず）、巻取機１７および、表示用位置目印１８を検出する目印検知手段である目印検知センサ１９などが信号の入出力が可能に接続されている。表示装置用コンピュータ７は表示装置１１内に設置されており、カメラ装置１、ホストコンピュータ４および表示装置用コンピュータ７は各々別の場所に設置されている。
【００１８】
ホストコンピュータ４および表示装置用コンピュータ７は、ネットワークインターフェース、制御手段としての中央演算装置（ＣＰＵ）、記憶領域としてのＲＡＭなどのメモリー、ハードディスク（ＨＤＤ）などを具備している。
【００１９】
ホストコンピュータ４の記憶領域（たとえば、ハードディスクやＲＡＭ）には、各表示装置１１が表示すべき広告コピーデータが、入力装置などで入力されて記憶される。
【００２０】
次に、表示装置１１について説明する。
表示装置１１は吊り下げ式で、横長の表示窓２１を具備しており、この表示窓２１に対応する表示領域２２のロール紙２３の表示面が外部から見える。この表示装置１１の内部には、前述の表示装置用コンピュータ７、プリンター１２、ファン１３、距離センサ１４、駆動ローラー１６、その駆動モータ、巻取機１７、目印検知センサ１９およびロール紙２３とともに、ガイドローラー２６などが設けられている。プリンター１２は、ロール紙２３に、表示用位置目印１８および広告などの情報の表示データ２４を早乾性インクで印字する。プリンター１２で印字されたロール紙２３は、プリンター１２から排出されると、バッファー領域３１を通過して、駆動ローラー１６およびガイドローラー２６に案内駆動されながら、表示領域２２を通って巻取機１７で巻き取られる。プリンター１２の紙の排出が水平であるのに対して、表示領域２２の紙面が垂直（上下方向）であるため、バッファー領域３１でロール紙２３は捩じれている。表示データ２４の印字部が表示領域２２に位置するときに表示データ２４が表示される。バッファー領域３１には、ロール紙２３の紙面に向かって送風するファン１３、および、ロール紙２３の紙面との距離を検出する距離センサ１４が配置されている。
【００２１】
この様に構成されている表示システムの表示装置１１に、広告などの情報を表示する際のフローを説明する。
フローの概略は下記の通りである。広告会社などに設置のホストコンピュータ４は、通信ネットワーク２を介して、カメラ装置１で取り込んだ映像をイメージデータとして入手し、このイメージデータに、顧客などからの広告コピーのデータを合成して表示データを作成する。この広告コピーデータは、顧客の端末（パソコンなど）や広告会社の端末（パソコンなど）から通信回線を介してホストコンピュータ４に送信され、その記憶領域の広告コピーデータ記憶部（広告コピーデータ記憶領域）に記憶される。
ついで、ホストコンピュータ４は作成した表示データを表示装置１１の表示装置用コンピュータ７に表示用通信ネットワーク６を介して送る。表示装置１１は送られた表示データを表示窓２１に表示する。
【００２２】
フローの詳細を図４のフローチャートに基づいて説明する。ステップ１において、カメラ装置１は外観の映像を取り込んでイメージデータとしている。ホストコンピュータ４は、予め設定されている時刻や時間間隔で、カメラ装置１のイメージデータを通信ネットワーク２を介して取得し、その記憶領域のイメージデータ記憶部（イメージデータ記憶領域）に記憶する。そのため、記憶領域のイメージデータは適宜更新されることになる。
【００２３】
ついで、ステップ２において、ホストコンピュータ４は、記憶領域の広告コピーデータ記憶部（広告コピーデータ記憶領域）に記憶されている広告コピーデータと、イメージデータとを合成し広告データなどの表示データを作成し、記憶領域の表示データ記憶部（表示データ記憶領域）に記憶するとともに、表示用通信ネットワーク６を介して表示装置用コンピュータ７に出力する。
【００２４】
ステップ３において、表示装置用コンピュータ７はプリンター１２に表示用位置目印のプリント信号および表示データを出力し、プリンター１２でロール紙２３に表示用位置目印１８および表示データ２４を印字する。
【００２５】
ステップ４において、ステップ３と略同時に、表示装置用コンピュータ７はファン１３に稼働信号を出力してファン１３を稼働し、バッファー領域３１のロール紙２３の紙面に送風する。表示装置用コンピュータ７は距離センサ１４からの紙面との距離信号を受けて、ファン１３の風量を制御しており、距離センサ１４の検出値である紙面との距離（すなわち、紙の弛み）が増大すると、ファン１３の風量を増大させ、一方、紙面との距離が減少すると、ファン１３の風量を減少させている。
【００２６】
ステップ５において、表示装置用コンピュータ７はプリンター１２からの印字終了信号があるか否かを判断し、印字終了の場合にはステップ１０に行き、印字が終了していない場合にはステップ６に行く。ステップ６において、表示装置用コンピュータ７は、距離センサ１４からの検出信号をサンプリングし、距離センサ１４の検出値である紙面との距離が巻取り開始距離（上限値）になったか否かを判断しており、巻取り開始距離にならない場合にはステップ５に戻っている。一方、ステップ６において、距離センサ１４の検出値が巻取り開始距離になると、ステップ７に行き、表示装置用コンピュータ７は巻取機１７および駆動ローラー１６に稼働信号を出力して稼働させ、巻取機１７でロール紙２３を巻き取る。ついで、ステップ８において、表示装置用コンピュータ７は、距離センサ１４の検出値が巻取り停止距離（下限値）になると、ステップ９に行き、表示装置用コンピュータ７は巻取機１７および駆動ローラー１６に停止信号を出力して停止させ、ロール紙２３の巻取りを停止する。そして、ステップ５に戻る。
【００２７】
ステップ５において、プリンター１２の印字が終了すると、前述のようにステップ１０に行く。なお、プリンター１２は表示データ２４の印字を行った後に、バッファー領域３１に相当する部分の紙（白紙または後続の印字部分）の掃きだしを行って、印字の終了としている。
【００２８】
ステップ１０において、表示装置用コンピュータ７は巻取機１７および駆動ローラー１６に稼働信号を出力して稼働させ、巻取機１７でロール紙２３を巻き取る。そして、ステップ１１において、ステップ１０と略同時に、表示装置用コンピュータ７は目印検知センサ１９からの検出信号をサンプリングし、目印検知センサ１９が表示用位置目印１８を検出したか否かを判断し、検出するまでロール紙２３の巻取りを継続する。そして、表示用位置目印１８を検出すると、ステップ１２に行き、表示装置用コンピュータ７は、ファン１３、巻取機１７および駆動ローラー１６に停止信号を出力して停止させ、ロール紙２３の巻取りを停止する。すると、表示装置１１の表示窓２１（すなわち、表示領域２２）に、印字された表示データ２４が位置する。以上で、表示データの更新は終了する。そして、適宜時間の経過後、表示データの更新処理が行われる。
【００２９】
次に、２個の変形例（変形例１−１および変形例１−２）を説明する。
図５は変形例１−１の表示装置の説明図で、（ａ）が斜視図、（ｂ）がその内部の機構の概略図である。図６は変形例１−２の表示装置の説明図で、（ａ）が斜視図、（ｂ）がその内部の機構の概略図である。
【００３０】
変形例１−１では、表示装置１１に代えて表示装置４１が用いられている。表示装置４１は、壁などに取り付けられる支持ケース４２および、この支持ケース４２に回動自在に設けられる表示ケース４３とを備え、この表示ケース４３に縦長の表示窓２１が形成されている。そして、支持ケース４２内には、表示装置用コンピュータ（図示しない）、ロール紙２３、プリンター１２、ファン１３、距離センサ１４およびバッファー領域３１が配置される。一方、表示ケース４３には、駆動ローラー１６、ガイドローラー２６、巻取機１７、目印検知センサ１９および表示領域２２が配置される。なお、この変形例１−１のバッファー領域３１では、ロール紙２３の紙は捩じれていない。
【００３１】
変形例１−２では、表示装置１１に代えて表示装置５１が用いられている。表示装置５１は、床や机などの上に載置される支持ケース５２および、この支持ケース５２に回動自在に設けられる表示ケース５３とを備え、この表示ケース５３に縦長の表示窓２１が形成されている。そして、支持ケース５２内には、表示装置用コンピュータ（図示しない）、ロール紙２３、プリンター１２、ファン１３、距離センサ１４およびバッファー領域３１が配置される。一方、表示ケース５３には、駆動ローラー１６、ガイドローラー２６、巻取機１７、目印検知センサ１９および表示領域２２が配置される。なお、この変形例１−２のバッファー領域３１では、ロール紙２３の紙は捩じれていない。
【００３２】
前述のように、この実施の形態では、カメラ装置１のイメージデータを適宜通信回線を介して取り込んで、表示装置１１，４１，５１の表示に反映させることができるので、表示内容を簡単に最新なものに更新することができる。
また、イメージデータと広告コピーデータとを合成して表示データを作成する作業は、ホストコンピュータ４で行われており、表示装置用コンピュータ７の負荷を削減することができるとともに、表示データの管理をホストコンピュータ４側で行うことができる。かつ、表示装置用コンピュータ７で表示データの作成作業を行うと、表示装置用コンピュータ７に外部から侵入されて、悪戯される可能性が高くなるが、侵入防止機能の高いホストコンピュータ４で行っているため、データ保全の安全性が高くなる。
さらに、表示装置１１，４１，５１には、バッファー領域３１が設けられているので、プリンター１２の印字時の排出速度と、巻取機１７の巻取り速度とを同期させる必要がなく、プリンター１２および巻取機１７の速度制御が容易となるとともに、市販のプリンター１２を採用することができる。
そして、バッファー領域３１では、ロール紙２３の紙面にファン１３から送風されており、ロール紙２３に弛みが生じていても、ロール紙２３の紙面に皺が発生することを極力防止することができる。特に、ロール紙２３が捩じれている際にも、ロール紙２３を円滑に搬送することができる。
プリンター１２で、表示データ２４とともに表示用位置目印１８を印字しているので、表示用位置目印の表示のない白紙のロール紙２３を用いることができる。したがって、市販のロール紙を使用でき、ランニングコストを削減することができる。
【００３３】
次に、本発明における表示装置および表示システムの実施の第２の形態について説明する。図７は実施の第２の形態の表示装置の説明図で、（ａ）が正面図、（ｂ）が断面図である。図８は表示装置の背面から見た一部切欠き内部構造図である。図９は実施の第２の形態の広告表示のフローチャートである。なお、この実施の第２の形態の説明において、前記実施の第１の形態の構成要素に対応する構成要素には同一符号を付して、その詳細な説明は省略する。
【００３４】
実施の第２の形態では、実施の第１の形態の表示装置１１に代えて表示装置６１が用いられ、他の構成（たとえば、カメラ装置１やホストコンピュータ４など）は同じである。
表示装置６１は据え置き式で、縦長の表示窓２１を具備しており、この表示窓２１に対応する表示領域２２のロール紙２３の表示面が外部から見える。この表示装置６１の内部には、表示装置用コンピュータ７（図３参照）、プリンター１２、プリンター１２にセットされているロール紙２３、プリンター１２の排出口に配置されているブレーキローラー６６、ガイドローラー６７、複数（この実施の形態では４本）の上側ローラー６８、複数（この実施の形態では３本）のスライド式ローラー６９、スライド式ローラー６９の下限位置を検出するスライド式ローラー検出センサ７１、スライド式ローラー６９を下方に付勢する重り７２、、スライド式ローラー６９を上下に案内するガイド７３、複数のガイドローラー７６、目印検知センサ１９、巻取機１７、および、巻取機１７の駆動モータ１７ａなどが設けられている。
【００３５】
プリンター１２で印字されたロール紙２３は、プリンター１２から排出されると、ブレーキローラー６６およびガイドローラー６７を通って、バッファー領域としてのストック領域８１に行く。このストック領域８１では、ロール紙２３は、回動軸が固定されている軸位置固定ローラーである上側ローラー６８と、回動軸がスライドするスライド式ローラー６９とに交互に掛け渡されて、蛇行しながら搬送される。そして、ロール紙２３は、このストック領域８１を出ると、ガイドローラー７６に導かれながら、表示領域２２を通って、巻取機１７で巻き取られている。
【００３６】
そして、プリンター１２が稼働している状態では、ブレーキローラー６６は遊転しているが、プリンター１２が停止している状態では、ブレーキローラー６６はブレーキが掛けられ回転不能となっている。また、スライド式ローラー６９が略下限に位置している場合には、表示領域２２に先行の表示データ２４の印字部が位置している際に、ストック領域８１に後続の表示データ２４の印字部が位置している。この様に、ストック領域８１に、後続の表示データ２４の印字部をためることが可能である。この状態で、巻取機１７が正回転（巻き取る方向に回転）してロール紙２３を巻き取ると、スライド式ローラー６９が上方にスライドし、ストック領域８１の紙を排出して、後続の表示データ２４の印字部を表示領域２２に位置させることができる。逆に、この状態で、巻取機１７を逆回転させてロール紙２３を巻き戻すと、スライド式ローラー６９が重り７２の重力で下方にスライドし、ストック領域８１に紙をため込むとともに、先行の表示データ２４の印字部を表示領域２２に戻すことができる。この様にして、巻取機１７の正逆転を交互にさせると、先行の表示データ２４と後続の表示データ２４とを交互に表示させることができる。
【００３７】
この様に構成されている表示システムの表示装置６１に、広告などの情報を表示する際のフローを説明する。
表示装置６１の表示データを更新する際には、ステップ２１において、カメラ装置１は外観の映像を取り込んでイメージデータとしている。ホストコンピュータ４は、予め設定されている時刻や時間間隔で、カメラ装置１のイメージデータを通信ネットワーク２を介して取得し、その記憶領域のイメージデータ記憶部（イメージデータ記憶領域）に記憶する。そのため、記憶領域のイメージデータは適宜更新されることになる。
【００３８】
ついで、ステップ２２において、ホストコンピュータ４は、記憶領域の広告コピーデータ記憶部（広告コピーデータ記憶領域）に記憶されている広告コピーデータと、イメージデータとを合成し広告データなどの表示データを作成し、記憶領域の表示データ記憶部（表示データ記憶領域）に記憶するとともに、表示用通信ネットワーク６を介して表示装置用コンピュータ７に出力する。
【００３９】
ステップ２３において、表示装置用コンピュータ７はプリンター１２に表示用位置目印のプリント信号および表示データを出力し、プリンター１２でロール紙２３に表示用位置目印１８および表示データ２４を印字する。この印字の際には、ブレーキローラー６６のブレーキは解除して遊転可能とする。
【００４０】
ステップ２４において、ステップ２３と略同時に、表示装置用コンピュータ７は、スライド式ローラー検出センサ７１の検出信号に基づいて、スライド式ローラー６９が下限位置に来ているか否かを判断し、下限位置にある場合には、巻取機１７の駆動モータ１７ａに正転信号（巻き上げ方向の信号）を出力して、ロール紙２３をゆっくりと巻き取る。下限位置ではない場合には、巻取機１７を停止させている。
【００４１】
ステップ２５において、表示装置用コンピュータ７はプリンター１２からの印字終了信号があるか否かを判断し、印字終了の場合には、ブレーキローラー６６にブレーキ信号を出力してブレーキをかけさせる（たとえば、ソレノイドなどでローラーにブレーキ負荷を加える）。なお、プリンター１２は、表示用位置目印１８および表示データ２４の印字を２組連続して行った後に、ストック領域８１までの紙の長さに略相当する部分の紙（白紙または後続の印字部分）の掃きだしを行って、印字の終了としている。
【００４２】
ステップ２６において、表示装置用コンピュータ７は、巻取機１７の駆動モータ１７ａに稼働信号を出力して、巻取機１７を稼働させ、巻取機１７でロール紙２３を巻き取るとともに、目印検知センサ１９からの検出信号をサンプリングし、目印検知センサ１９が表示用位置目印１８を検出したか否かを判断し、検出するまでロール紙２３の巻取りを継続する。そして、表示用位置目印１８を検出すると、表示装置用コンピュータ７は、巻取機１７に停止信号を出力して停止させ、ロール紙２３の巻取りを停止する。すると、表示装置６１の表示窓２１（すなわち、表示領域２２）に、２組の印字部の内の先行して印字された表示データ２４が位置し、後続の表示データ２４はストック領域８１に略位置する。以上で、表示データの更新は終了する。そして、適宜時間の経過後、表示データの更新処理が行われる。
【００４３】
ついで、更新後、次回の更新まで、表示データの切り換えが適宜行われる。この表示データの切り換えが、以下のステップで行われる。ステップ２８において、表示装置用コンピュータ７は、予め設定されている表示切換時間になると、巻取機１７に正転信号を出力し、ロール紙２３を巻き上げる。そして、ステップ２９において、ステップ２８と略同時に、目印検知センサ１９からの検出信号をサンプリングし、目印検知センサ１９が表示用位置目印１８を検出したか否かを判断し、検出するまでロール紙２３の巻取りを継続する。そして、表示用位置目印１８を検出すると、ステップ３０に行き、表示装置用コンピュータ７は、巻取機１７に停止信号を出力して停止させ、ロール紙２３の巻取りを停止する。すると、表示装置６１の表示窓２１（すなわち、表示領域２２）に、２組の印字部の内の後続して印字された表示データ２４が位置し、先行する示データ２４は巻取機１７に略巻き取られる。
【００４４】
ついで、ステップ３１において、表示装置用コンピュータ７は、予め設定されている次の表示切換時間になると、巻取機１７に逆転信号を出力し、ロール紙２３を巻き戻す。そして、ステップ３２において、ステップ３１と略同時に、目印検知センサ１９からの検出信号をサンプリングし、目印検知センサ１９が表示用位置目印１８を検出したか否かを判断し、検出するまでロール紙２３の巻き戻しを継続する。そして、表示用位置目印１８を検出すると、ステップ３３に行き、表示装置用コンピュータ７は、巻取機１７に停止信号を出力して停止させ、ロール紙２３の巻き戻しを停止する。すると、表示装置６１の表示窓２１に、２組の印字部の内の先行して印字された表示データ２４が位置し、後続の表示データ２４はストック領域８１に略位置する。そして、ステップ２８に戻る。その後、次回の表示データの印字部の更新まで、ステップ２８〜ステップ３３（すなわち、表示データの印字部の切り換え）を繰り返す。
【００４５】
次に、変形例（変形例２−１）を説明する。
図１０は変形例２−１の表示装置の説明図で、（ａ）が斜視図、（ｂ）がその内部の機構の概略図である。
【００４６】
変形例２−１では、表示装置６１に代えて表示装置９１が用いられている。表示装置９１は、壁などに取り付けられる支持ケース９２および、この支持ケース９２に回動自在に設けられる表示ケース９３とを備え、この表示ケース９３に表示窓２１が形成されている。そして、支持ケース９２内には、表示装置用コンピュータ（図示しない）、ロール紙２３およびプリンター１２などが配置される。一方、表示ケース９３には、スライド式ローラー６９、スライド式ローラー検出センサ７１、スライド式ローラー６９を案内するガイド（図示せず）、上側ローラー６８、ガイドローラー７６、巻取機１７、目印検知センサ１９、表示領域２２およびストック領域８１などが配置される。
【００４７】
前述のように、この実施の形態では、表示装置６１，９１には、バッファー領域としてのストック領域８１が設けられているので、プリンター１２の印字時の排出速度と、巻取機１７の巻取り速度とを同期させる必要がなく、プリンター１２および巻取機１７の速度制御が容易となるとともに、市販のプリンター１２を採用することができる。また、ストック領域８１に後続の表示データの印字部をためることができるので、巻取機１７を正逆転させることにより、表示データを適宜切り換えることができる。
【００４８】
この様にして、制御手段である表示装置用コンピュータは、（１）目印検知手段が表示用位置目印を検出した際に、巻取機を停止させて、プリンターで印字された表示データの印字部を表示領域に位置させる表示位置制御手段、（２）プリンター稼働中に、弛み量検知手段の検出値が上限設定値になると、巻取機を稼働し、かつ、弛み量検知手段の検出値が下限設定値になると、巻取機を停止させる弛み量制御手段、（３）弛み量検知手段の検出値が増大すると、ファンの送風量を増大させ、かつ、弛み量検知手段の検出値が減少すると、ファンの送風量を減少させる送風量制御手段、（４）プリンターが停止している状態で、巻取機を正転させてストック領域の紙の量を減少させて後続の表示データの印字部を表示領域に位置させ、その後、巻取機を逆転させてストック領域の紙の量を増大させて、先行の表示データの印字部を表示領域に位置させる印字部表示切換手段などを具備する。
また、制御手段であるホストコンピュータは、（１）広告コピーデータを記憶する広告コピー記憶領域、（２）映像を取り込んでイメージデータを出力するカメラ装置と通信回線を介して接続され、カメラ装置からのイメージデータと広告コピー記憶領域の広告コピーデータとを合成して表示データを生成する表示データ生成手段、（３）表示データ生成手段の表示データを記憶する表示データ記憶領域などを具備している。
この様に、表示装置および表示システムは、上記手段以外にも、実行される各作用に対応して各々、作用を実行する手段が、作用を行う各構成要素に設けられている。また、上記に記載された手段の全てを各構成要素が備えている必要は必ずしもない。
そして、カメラ装置１、ホストコンピュータ４および表示装置用コンピュータ７などは協同して表示システムを作動している。
なお、表示データ生成手段や表示データ記憶領域などを、ホストコンピュータではなく、表示装置用コンピュータに設けることも可能である。この様に、表示装置用コンピュータに表示データ生成手段を設けると、ホストコンピュータを煩わせないで、カメラ装置のイメージデータを取り込んで表示データを生成することができる。そのため、更新頻度が高い場合でも、ホストコンピュータの負荷が増大することを防止することができる。
【００４９】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態においては、通信ネットワーク２，６は２個設けられているが、１個でも可能である。カメラ装置１からのイメージデータを表示装置用コンピュータ７が通信回線を介して直接取込み、表示装置用コンピュータ７でホストコンピュータ４からの広告コピーデータとカメラ装置１からのイメージデータとを合成することも可能である。
（２）通信回線は、有線でも、無線でも可能である。
（３）印字は必ずしも文字に限っておらず、絵など種々の画像を表示させることができる。また、印字用インクは適宜選択可能である。
（４）ホストコンピュータ４の設置場所は適宜変更可能である。
（５）制御装置としてのホストコンピュータ４および印字制御用コンピュータ７の機能分担は適宜変更可能である。
（６）プリンターなどは従来周知であり、その形式や構造などは適宜選択可能である。
（７）表示領域２２、バッファー領域３１およびストック領域８１に配備される機構や部材などは、適宜変更可能である。
（８）表示装置の設置場所は適宜選択可能で、たとえば、証券会社のウィンドー、店舗、自動販売機のフロントパネル、観光案内所などがあり、その表示内容も適宜選択可能で、たとえば、株価、株式チャート、広告である。そして、この表示装置は、従来の電光掲示板や看板などと代替することができる。
（９）バッファー領域３１における紙の弛み量（すなわち、ファンと紙面との距離）を検知する弛み量検知手段は、距離センサ１４以外の手段でも可能である。（１０）表示用位置目印は、ロール紙に予め印刷しておくことができる。
【００５０】
【発明の効果】
本発明によれば、プリンターで表示用位置目印および表示データをロール紙に印字して、目印検知手段が表示用位置目印を検出した際に、巻取機を停止させて、プリンターで印字された印字部を表示領域に位置させているので、表示の内容を簡単に変更することができるとともに、表示内容が変化しない際のランニングコストを極力低くすることができる。
【００５１】
プリンターで表示データが印字されたロール紙を、バッファー領域および表示領域を順次通過させて巻取機で巻き取って、表示データの印字部を表示領域に位置させており、バッファー領域があるので、プリンターと巻取機とを同期して駆動させる必要がなく、制御が容易となる。しかも、ファンがバッファー領域の紙面に送風しており、ロール紙に弛みが生じていても、ロール紙の紙面に皺が発生することを極力防止することができる。
【００５２】
送風量制御手段が、弛み量検知手段の検出値が増大すると、ファンの送風量を増大させ、かつ、弛み量検知手段の検出値が減少すると、ファンの送風量を減少させているので、紙面に当たる風圧を略一定にすることができる。
【００５３】
ストック領域が設けられているので、巻取機を正逆転させて、表示データを切り換えることができる。
【００５４】
通信回線で接続されているカメラ装置からのイメージデータと、広告コピー記憶領域の広告コピーデータとを合成して表示データを作成しているので、表示データのもとになるイメージデータを簡単に最新のデータとすることができる。
【００５５】
また、ホストコンピュータが表示データ生成手段を具備しているので、表示装置用コンピュータの負荷を削減することができるとともに、表示データの管理をホストコンピュータ側で行うことができる。
【００５６】
そして、表示装置用コンピュータが表示データ生成手段を具備している際には、ホストコンピュータを煩わせないで、カメラ装置のイメージデータを取り込んで表示データを生成することができる。そのため、更新頻度が高い場合でも、ホストコンピュータの負荷が増大することを防止することができる。
【図面の簡単な説明】
【図１】図１は本発明にかかる表示システムの表示装置の説明図で、（ａ）が外観の斜視図、（ｂ）が内部機構の斜視図である。
【図２】図２は印字のされたロール紙の要部拡大図である。
【図３】図３は表示システム全体の概略図である。
【図４】図４は実施の第１の形態の広告表示のフローチャートである。
【図５】図５は変形例１−１の表示装置の説明図で、（ａ）が斜視図、（ｂ）がその内部の機構の概略図である。
【図６】図６は変形例１−２の表示装置の説明図で、（ａ）が斜視図、（ｂ）がその内部の機構の概略図である。
【図７】図７は実施の第２の形態の表示装置の説明図で、（ａ）が正面図、（ｂ）が断面図である。
【図８】図８は表示装置の背面から見た一部切欠き内部構造図である。
【図９】図９は実施の第２の形態の広告表示のフローチャートである。
【図１０】図１０は変形例２−１の表示装置の説明図で、（ａ）が斜視図、（ｂ）がその内部の機構の概略図である。
【符号の説明】
１  カメラ装置
２  通信ネットワーク（通信回線）
４  ホストコンピュータ
６  表示用通信ネットワーク（通信回線）
７  表示装置用コンピュータ（制御手段）
１１  表示装置
１２  プリンター
１３  ファン
１４  距離センサ（弛み量検知手段）
１７  巻取機
１８  表示用位置目印
１９  目印検知センサ（目印検知手段）
２２  表示領域
２３  ロール紙
２４  表示データ
３１  バッファー領域
４１  表示装置
５１  表示装置
６１  表示装置
６９  スライド式ローラー
８１  ストック領域
９１  表示装置
【図１】
2004184658.tif 000003
【図２】
2004184658.tif 000004
【図３】
2004184658.tif 000005
【図４】
2004184658.tif 000006
【図５】
2004184658.tif 000007
【図６】
2004184658.tif 000008
【図７】
2004184658.tif 000009
【図８】
2004184658.tif 000010
【図９】
2004184658.tif 000011
【図１０】
2004184658.tif 000012